(57)【要約】【課題】本発明は、このような点に鑑みて創案されたものであり、よりシンプルな構造で、かつ、支持軸にころがり疲労剥離が発生することを防止して寿命をより長くすることができるカムフォロア装置を提供する。【解決手段】一対の対向側壁を有し、カムに対して配置された軸受保持部材（３０）と、一対の対向側壁３８のそれぞれに挿通孔３２が同軸に設けられており、挿通孔３２のそれぞれに挿通されている支持軸２２Ａと、支持軸２２Ａが挿通されて一対の対向側壁３８の間に配置されており、外輪と、支持軸２２Ａの外周面で形成される内輪と外輪との間に配設される複数のころと、を有するカムフォロア装置であって、支持軸２２Ａの一方端の側、及び他方端の側には、軸受保持部材（３０）から支持軸２２Ａが抜けることを防止する抜け防止構造を有しており、支持軸２２Ａは軸受保持部材（３０）に対して、支持軸２２Ａの軸線回りに回転自在な状態とされている。【選択図】図３
2019015261.tif 000002
【特許請求の範囲】
【請求項１】
互いに間隔を開けた状態で設けられた一対の対向側壁を有し、カムシャフトに設けられたカムに対して配置された軸受保持部材と、
一対の前記対向側壁のそれぞれに挿通孔が同軸に設けられており、前記挿通孔のそれぞれに挿通されている支持軸と、
前記支持軸が挿通されて一対の前記対向側壁の間に配置されており、カムに対向する外輪と、
前記支持軸における外周面で形成される内輪と、
前記外輪と前記内輪との間における環状の隙間に配設される複数のころと、
を有して、前記カムの動きを受けて揺動するカムフォロア装置であって、
前記支持軸における一方端の側、及び他方端の側には、前記軸受保持部材から前記支持軸が抜けることを防止する抜け防止構造を有しており、
前記支持軸は、前記軸受保持部材に対して、前記支持軸の軸線回りに回転自在な状態とされている、
カムフォロア装置。
【請求項２】
請求項１に記載のカムフォロア装置であって、
前記支持軸の一方端の側における前記抜け防止構造は、
前記挿通孔の径よりも大きな外径を有して前記対向側壁を挟んで前記外輪と反対の側に設けられた鍔部を有している、
カムフォロア装置。
【請求項３】
請求項１に記載のカムフォロア装置であって、
前記支持軸の一方端の側における前記抜け防止構造は、
前記支持軸の一方端の側の外周面に、周方向に連続するように設けられた溝部と、
前記溝部の外径より大きな径、かつ、前記支持軸の外径より小さな径に設定された、前記溝部に対応する前記挿通孔と、
を有している、
カムフォロア装置。
【請求項４】
請求項１に記載のカムフォロア装置であって、
前記支持軸の一方端の側、及び他方端の側、における前記抜け防止構造は、
一対の前記対向側壁におけるそれぞれの前記挿通孔においてカム側の一部が開放されて前記挿通孔の径よりも狭い幅を有するそれぞれの開放部と、
前記支持軸における一方端の側、及び他方端の側、のそれぞれの外周面に設けられて周方向に連続するように設けられたそれぞれの溝部であって前記開放部の幅より大きな径、かつ、前記挿通孔の径より小さな径、とされた外径を有する前記溝部と、
を有している、
カムフォロア装置。
【請求項５】
請求項２又は３に記載のカムフォロア装置であって、
前記支持軸の他方端の側における前記抜け防止構造は、
前記支持軸を挿通する前記挿通孔の径よりも大きな外径のかしめ部を有する構造、
又は、前記他方端の側の外周面に、周方向に連続するように固定溝部を設けてＣリング又はＯリングを前記固定溝部に嵌め込んだ構造、
又は、前記他方端に雄ネジ部を設けて前記雄ネジ部に対応する雌ネジ部を有する締結部材を螺合した構造、
である、
カムフォロア装置。
【発明の詳細な説明】
【技術分野】
【０００１】
本発明は、カムフォロア装置に関する。
【背景技術】
【０００２】
例えば特許文献１には、図１１〜図１３に示す従来のカムフォロア装置１５０が記載されている。図１１に示すように、特許文献１に記載されている従来のカムフォロア装置１５０は、ロッカーアーム１３０、外輪１２０、支持軸１２２、複数のころ１２４等を有している。図１１におけるＸＩＩ−ＸＩＩ断面図である図１２に示すように、ロッカーアーム１３０は、一対の対向側壁１３８を有しており、それぞれの対向側壁１３８には、支持軸１２２を挿入する挿入孔１３２が、同軸に設けられている。外輪１２０は、一対の対向側壁１３８の間に配置されており、一対の対向側壁１３８のそれぞれの挿通孔１３２と外輪１２０には、支持軸１２２が挿通されている。支持軸１２２の外周面１２１と外輪１２０の内周面の隙間の空間には、複数のころ１２４が回転自在に全周に配設され、支持軸１２２に対して外輪１２０が回転自在とされている。そして、支持軸１２２の両端部は、支持軸１２２がロッカーアーム１３０から抜けないように、対向側壁１３８の挿通孔１３２にかしめ部Ｋにより対向側壁１３８に対して固定されており、支持軸１２２は対向側壁１３８に対して軸線回りに回転できない構造とされている。
【０００３】
また特許文献２には、特許文献１に記載のカムフォロア装置に対して、支持軸ところの間に、内輪が設けられたカムフォロア装置が記載されている。そして内輪は支持軸と一体となるように支持軸に固定されており、支持軸はロッカーアーム（対向側壁）に対して回転自在となるように、ロッカーアームに取り付けられている。
【先行技術文献】
【特許文献】
【０００４】
【特許文献１】特開２０１４−１６９６２７号公報
【特許文献２】特開２０１３−１６７２３６号公報
【発明の概要】
【発明が解決しようとする課題】
【０００５】
図１１に示すように、特許文献１に記載のカムフォロア装置１５０では、カム１１０は、外輪１２０に接触した状態を維持しながら回転する。従って、外輪１２０は、接触しているカム１１０の回転に伴って回転する。そして、カム１１０の偏心部１１０Ｃが外輪１２０に接触すると、カム１１０は外輪１２０を回転させなからカムフォロア装置１５０を押し下げる。この状態を図１３の拡大図に示す。このとき、図１３に示すように、カム１１０からの押し下げ力Ｆは、外輪１２０ところ１２４を介して支持軸１２２に伝達される。このとき、外輪１２０はカム１１０の回転に伴って回転しているので、外輪１２０における押し下げ力Ｆを受ける領域は、円周方向において種々の位置であり、１個所に集中することは無い。また、複数のころ１２４も、外輪１２０の回転に伴って自転しながら支持軸１２２周りを公転するので、特定のころ１２４に押し下げ力Ｆが集中することは無い。しかし、支持軸１２２は、ロッカーアーム１３０の挿通孔１３２に固定されて回転しない構造であるので、図１３に示す領域Ｚ（負荷圏）に押し下げ力Ｆが集中する。つまり、支持軸１２２の円周方向において、特定の位置となる領域Ｚのみが押し下げ力Ｆ（繰り返し荷重）を毎回受ける。このため、支持軸１２２における領域Ｚにおいて、疲労剥離が発生する場合があり、カムフォロア装置の寿命が短くなる場合がある。
【０００６】
また特許文献２では、内輪と一体とされた支持軸が、ロッカーアームに対して回転自在とされているので、外輪やころの回転に伴って内輪及び支持軸も回転する。従って、支持軸の周方向における一部の個所に、カムからの押し下げ力が集中することは無い。従って、引用文献１に記載のカムフォロア装置よりも、寿命をより長くすることができると思料される。しかし、特許文献１に対して部品点数が増加（内輪が増加）しており、構造が複雑化する点で、あまり好ましくない。
【０００７】
本発明は、このような点に鑑みて創案されたものであり、よりシンプルな構造で、かつ、支持軸にころがり疲労剥離が発生することを防止して寿命をより長くすることができるカムフォロア装置を提供することを課題とする。
【課題を解決するための手段】
【０００８】
上記課題を解決するため、本発明の第１の発明は、互いに間隔を開けた状態で設けられた一対の対向側壁を有し、カムシャフトに設けられたカムに対して配置された軸受保持部材と、一対の前記対向側壁のそれぞれに挿通孔が同軸に設けられており、前記挿通孔のそれぞれに挿通されている支持軸と、前記支持軸が挿通されて一対の前記対向側壁の間に配置されており、カムに対向する外輪と、前記支持軸における外周面で形成される内輪と、前記外輪と前記内輪との間における環状の隙間に配設される複数のころと、を有して、前記カムの動きを受けて揺動するカムフォロア装置である。そして、前記支持軸における一方端の側、及び他方端の側には、前記軸受保持部材から前記支持軸が抜けることを防止する抜け防止構造を有しており、前記支持軸は、前記軸受保持部材に対して、前記支持軸の軸線回りに回転自在な状態とされている、カムフォロア装置である。
【０００９】
次に、本発明の第２の発明は、上記第１の発明に係るカムフォロア装置であって、前記支持軸の一方端の側における前記抜け防止構造は、前記挿通孔の径よりも大きな外径を有して前記対向側壁を挟んで前記外輪と反対の側に設けられた鍔部を有している、カムフォロア装置である。
【００１０】
次に、本発明の第３の発明は、上記第１の発明に係るカムフォロア装置であって、前記支持軸の一方端の側における前記抜け防止構造は、前記支持軸の一方端の側の外周面に、周方向に連続するように設けられた溝部と、前記溝部の外径より大きな径、かつ、前記支持軸の外径より小さな径に設定された、前記溝部に対応する前記挿通孔と、を有している、カムフォロア装置である。
【００１１】
次に、本発明の第４の発明は、上記第１の発明に係るカムフォロア装置であって、前記支持軸の一方端の側、及び他方端の側、における前記抜け防止構造は、一対の前記対向側壁におけるそれぞれの前記挿通孔においてカム側の一部が開放されて前記挿通孔の径よりも狭い幅を有するそれぞれの開放部と、前記支持軸における一方端の側、及び他方端の側、のそれぞれの外周面に設けられて周方向に連続するように設けられたそれぞれの溝部であって前記開放部の幅より大きな径、かつ、前記挿通孔の径より小さな径、とされた外径を有する前記溝部と、を有している、カムフォロア装置である。
【００１２】
次に、本発明の第５の発明は、上記第２の発明または第３の発明に係るカムフォロア装置であって、前記支持軸の他方端の側における前記抜け防止構造は、前記支持軸を挿通する前記挿通孔の径よりも大きな外径のかしめ部を有する構造、又は、前記他方端の側の外周面に、周方向に連続するように固定溝部を設けてＣリング又はＯリングを前記固定溝部に嵌め込んだ構造、又は、前記他方端に雄ネジ部を設けて前記雄ネジ部に対応する雌ネジ部を有する締結部材を螺合した構造、である、カムフォロア装置である。
【発明の効果】
【００１３】
第１〜第４の発明によれば、支持軸が軸受保持部材に対して支持軸の軸線回りに回転可能な状態にできる。従って、支持軸の外周面上の負荷圏は、カムの回転に対して一定の範囲（同じ領域）に制限されることがなく一箇所になることはない。これにより、支持軸の一箇所（負荷圏）において、繰り返しころ荷重によるころがり疲労剥離が発生することを防止して、カムフォロア装置の寿命をより長くすることができる。また、支持軸を内輪として利用しているので、構造をよりシンプルにすることができる。
【００１４】
第５の発明によれば、第２の発明または第３の発明に係るカムフォロア装置において、支持軸の他方端の側における抜け防止構造を、よりシンプルな構造にて比較的容易に実現することができる。
【図面の簡単な説明】
【００１５】
【図１】カムフォロア装置の概略全体構成を説明する斜視図である。
【図２】カムフォロア装置の動作の説明する図である。
【図３】図２のＩＩＩ−ＩＩＩ断面図であり、第１の実施の形態におけるカムフォロア装置の構造を説明する図である。
【図４】本願のカムフォロア装置におけるカムの回転と支持軸の回転を説明する図である。
【図５】第２の実施の形態におけるカムフォロア装置の構造を説明する断面図であり、図３に相当する図である。
【図６】第３の実施の形態におけるカムフォロア装置の構造を説明する断面図であり、図３に相当する図である。
【図７】第４の実施の形態におけるカムフォロア装置の構造を説明する断面図であり、図３に相当する図である。
【図８】第５の実施の形態におけるカムフォロア装置の構造を説明する断面図であり、図３に相当する図である。
【図９】第６の実施の形態におけるカムフォロア装置の概略全体構成を説明する分解斜視図である。
【図１０】第６の実施の形態におけるカムフォロア装置の構造を説明する断面図であり、図３に相当する図である。
【図１１】従来のカムフォロア装置の例を説明する図である。
【図１２】図１１におけるＸＩＩ−ＸＩＩ断面図であり、従来のカムフォロア装置の構造を説明する図である。
【図１３】従来のカムフォロア装置において、支持軸の１個所に、カムからの押し付け力が集中することを説明する図である。
【発明を実施するための形態】
【００１６】
以下に、本発明を実施するための形態（第１〜第６の実施の形態）を、図面を用いて説明する。第１〜第６の実施の形態に示すカムフォロア装置は、いずれも、支持軸の一方端の側、及び他方端の側には、ロッカーアーム（軸受保持部材に相当）から支持軸が抜けることを防止する抜け防止構造を有している。そして支持軸は、ロッカーアーム（軸受保持部材に相当）に対して、支持軸の軸線回りに回転自在な状態とされている。
【００１７】
●［カムフォロア装置５０の概略全体構成（図１、図２）］
まず図１及び図２を用いて、カムフォロア装置の構成と動作の概要について説明する。図１に示すように、カムフォロア装置５０は、ロッカーアーム３０、外輪２０、支持軸２２等を有している。また、図２に示すように、ロッカーアーム３０の長手方向の両端部のそれぞれには、バルブ機構（バルブステムエンド１７、スプリング１４、バルブ１８）とラッシュアジャスタ１１が端部を支持するように設けられている。そして、バルブ１８が開閉自在にシリンダヘッド９０に設けられており、ラッシュアジャスタ１１がシリンダヘッド９０に固定されている。なお、Ｘ軸とＹ軸とＺ軸が記載されている図では、Ｘ軸とＹ軸とＺ軸は互いに直交しており、Ｙ軸方向はロッカーアーム３０の長手方向であって、図２において、バルブステムエンド１７からラッシュアジャスタ１１へ向かう方向をＹ方向とし、Ｘ軸方向はカム１０の中心軸線に平行な方向としている。
【００１８】
図２に示すように、ロッカーアーム３０には、ラッシュアジャスタ１１の先端を受けるための凹状のラッシュアジャスタ受け部３４と、バルブステムエンド１７を受けるバルブステムエンド受け部３６と、がロッカーアーム３０の長手方向の両端にそれぞれ設けられている。
【００１９】
図２において、ラッシュアジャスタ１１はラッシュアジャスタ受け部３４に対して、バルブステムエンド１７はバルブステムエンド受け部３６に対して、当接している。さらにカム１０の外周面は外輪２０の外周面に対して当接している。これにより、カムフォロア装置５０は、シリンダヘッド９０に対して、上述したこれら３箇所で相対的に支持されている。また、カムフォロア装置５０は、外輪２０の外周面２１とカム１０の外周面１０Ａが対向して配置されている。
【００２０】
図２に示すように、カム１０は、カムシャフト１２の回転によって、偏心部１０Ｃが外輪２０に当接すると、当接している外輪２０をシリンダヘッド９０のある側に向かって押し下げる。これにより、カムフォロア装置５０は、ラッシュアジャスタ受け部３４を中心（支点）にして回動（揺動）して、バルブステムエンド１７をシリンダヘッド９０の側に向けて押し下げてバルブ１８を開ける。カムシャフト１２が回転してカム１０のベース円周部１０Ｂが外輪２０に当接すると、スプリング１４の付勢力によりバルブステムエンド１７は、元の位置（バルブ１８を閉じる位置）に押し戻されるように揺動し、バルブ１８は閉じた状態となる。
【００２１】
●［第１の実施の形態のカムフォロア装置５０Ａの構造・効果（図３、図４）］
次に、図３と図４を用いて、第１の実施の形態のカムフォロア装置５０Ａを説明する。図３は、第１の実施の形態のカムフォロア装置５０Ａの断面を示している。カムフォロア装置５０Ａは、ロッカーアーム３０、支持軸２２Ａ、外輪２０、ころ２４を有している。また図４は、カム１０が、外輪２０を押し下げる前の状態（実線）と、押し下げた状態（２点鎖線）と、を説明する拡大図である。第１の実施の形態では、支持軸２２Ａにおける一方端の側の抜け防止構造は、鍔部２６を有している。また支持軸２２Ａにおける他方端の側の抜け防止構造は、かしめ部Ｋａを有している。
【００２２】
図３に示すように、ロッカーアーム３０は、互いに間隔を開けた状態で設けられた一対の対向側壁３８を有し、カムシャフト１２（図２参照）に設けられたカム１０に対して配置されている。挿通孔３２は、一対の対向側壁３８のそれぞれに同軸に設けられている。支持軸２２Ａは、一対の対向側壁３８の挿通孔３２のそれぞれに挿通されている。外輪２０は、支持軸２２Ａが挿通されて一対の対向側壁３８の間に配置されているとともに、カム１０に対向するように配置されている。支持軸２２Ａにおける外周面２１で形成される内輪と外輪２０との間における環状の隙間には、複数のころ２４が配設されている。
【００２３】
鍔部２６は、挿通孔３２の径Ｄａ２よりも大きな径Ｄａ３を有しており、支持軸２２Ａにおける一方端の側に設けられている（対向側壁３８を挟んで外輪２０と反対の側に設けられている）。支持軸２２Ａは、ロッカーアーム３０から支持軸２２Ａが抜けることを防止するため、支持軸２２Ａにおける他方端の側においてかしめ部Ｋａが形成されている。対向側壁３８における外輪２０に対向しない側の壁面と、この壁面に対向する鍔部２６の外縁部における面との間には隙間Ｌａ１が設けられている。また、対向側壁３８の外輪２０が配置されていない側の壁面と、この壁面に対向するかしめ部Ｋａにおける外縁部の面との間には隙間Ｌａ２が設けられている。さらに、挿通孔３２の径Ｄａ２は、支持軸２２Ａの径Ｄａ１よりも大きい。これにより、支持軸２２Ａは、ロッカーアーム３０に対して、支持軸２２Ａの軸線回りに回転自在な状態となる。
【００２４】
図４に示すように、例えばカムシャフト１２が回転して、カム１０が実線で示した位置から２点鎖線で示した位置へと回転すると、カム１０によって、外輪２０は回転しながらシリンダヘッド９０に向かって押し下げられる。これに伴って、図２に示すように、ロッカーアーム３０は、シリンダヘッド９０に向かってラッシュアジャスタ受け部３４を中心に回動（揺動）して、バルブ１８を開く。また、ころ２４は、外輪２０の回転に伴って回転する。上述したように、支持軸２２Ａは、ロッカーアーム３０に対して回転自在な状態とされている。
【００２５】
図４に示すように、カム１０から外輪２０を押し下げる力を受けていた支持軸２２Ａにおける領域Ａ（負荷圏）は、ロッカーアーム３０（図２参照）に対して支持軸２２Ａが回転するため、支持軸２２Ａの軸線を中心に回転して移動する（領域Ａ'）。従って、支持軸２２Ａの外周面２１上の負荷圏は、カム１０の回転に対して、一定の範囲に制限されず一箇所になることはない。これにより、支持軸２２Ａの外周面２１上における同じ領域が、常にカム１０からの荷重を受けることはない。つまり、支持軸２２Ａの円周方向における種々の領域が荷重を受ける。従って、支持軸２２Ａの特定の個所（同一個所）が繰り返し荷重を受けて疲労剥離を起こすことを防止できるので、カムフォロア装置の寿命をより長くすることができる。
【００２６】
●［第２の実施の形態のカムフォロア装置５０Ｂの構造・効果（図５）］
次に、図５を用いて、第２の実施の形態のカムフォロア装置５０Ｂを説明する。カムフォロア装置５０Ｂは、第１の実施の形態のカムフォロア装置５０Ａに対して、支持軸２２Ｂがロッカーアーム３０から抜けることを防止する支持軸２２Ｂにおける、他方端の側の抜け防止構造が、Ｃリング又はＯリングを支持軸２２Ｂに設けられた溝に嵌め込み抜けを防止する点で相違する。以下、この相違点について主に説明する。
【００２７】
第２の実施の形態のカムフォロア装置５０Ｂにおいて、図５の断面図に示すように、支持軸２２Ｂの一方端の側に設けられた抜け防止構造は、第１の実施の形態と同じ鍔部２６であるので、当該鍔部２６の説明については省略する。また、支持軸２２Ｂにおける他方端の側の抜け防止構造は、支持軸２２Ｂの他方端の側の外周面に、周方向に連続するように設けられた固定溝部ＴＢを設けてリングＲ（Ｃリング又はＯリング）を固定溝部ＴＢに嵌め込んだ構造である。
【００２８】
支持軸２２Ｂにおける固定溝部ＴＢの径Ｄｂ４は、リングＲの穴径である径Ｄｂ５より小さい。支持軸２２Ｂの径である径Ｄｂ１は、径Ｄｂ５よりも大きく、かつ挿通孔３２の径である径Ｄｂ２より小さい。支持軸２２Ｂにおける他方の端部の径Ｄｂ３２は、対向側壁３８の挿通孔３２の内径より小さい。また、リングＲの外径の寸法は、挿通孔３２の径Ｄｂ２より大きい。
【００２９】
対向側壁３８の外輪２０に対向しない側の壁面と、この壁面に対向する鍔部２６の外縁部における面との間には隙間Ｌｂ１が設けられている。また、対向側壁３８の外輪２０に対向しない側の壁面と、この壁面に対向するリングＲにおける外縁部の面との間には隙間Ｌｂ２が設けられている。これにより、支持軸２２Ｂは、ロッカーアーム３０に対して、支持軸２２Ｂの軸線回りに回転自在な状態となる。従って、第１の実施の形態と同様、支持軸２２Ｂの特定の個所（同一個所）が繰り返し荷重を受けて疲労剥離を起こすことを防止できるので、カムフォロア装置の寿命をより長くすることができる。
【００３０】
●［第３の実施の形態のカムフォロア装置５０Ｃの構造・効果（図６）］
次に、図６を用いて、第３の実施の形態のカムフォロア装置５０Ｃを説明する。カムフォロア装置５０Ｃは、第１の実施の形態のカムフォロア装置５０Ａに対して、支持軸２２Ｃがロッカーアーム３０から抜けることを防止する支持軸２２Ｃにおける、他方端の側の抜け防止構造が、締結部材（例えばナット）を支持軸２２Ｃに締結して抜けを防止する点で相違する。以下、この相違点について主に説明する。
【００３１】
第３の実施の形態のカムフォロア装置５０Ｃにおいて、図６の断面図に示すように、支持軸２２Ｃの一方端の側に設けられた抜け防止構造は、第１の実施の形態と同じ鍔部２６であるので、当該鍔部２６の説明については省略する。また、支持軸２２Ｃにおける他方端の側の抜け防止構造は、支持軸２２Ｃの他方端に雄ネジ部３９を設けて雄ネジ部３９に対応する雌ネジ部を有する締結部材Ｎ（例えば、ナット）を螺合した構造である。
【００３２】
締結部材Ｎの外形における寸法であるＤｃ３は、支持軸２２Ｃが挿通孔３２から抜けない程度で、挿通孔３２の径Ｄｃ２より大きい。支持軸２２Ｃの径であるＤｃ１は、挿通孔３２の径であるＤｃ２より小さい。
【００３３】
対向側壁３８の外輪２０に対向しない側の壁面と、この壁面に対向する鍔部２６の外縁部における面との間には隙間Ｌｃ１が設けられている。また、対向側壁３８の外輪２０に対向しない側の壁面と、この壁面に対向する締結部材Ｎにおける外縁部の面との間には隙間Ｌｃ２が設けられている。これにより、支持軸２２Ｃは、ロッカーアーム３０に対して、支持軸２２Ｃの軸線回りに回転自在な状態となる。なお、締結部材Ｎの雄ネジ部３９への螺合は、締結部材Ｎを２個（ダブルナット）用いても良い。これにより、隙間Ｌｃ１と隙間Ｌｃ２を維持しつつ、雄ネジ部３９から締結部材Ｎが抜けることを防止できる。従って、第１の実施の形態と同様、支持軸２２Ｃの特定の個所（同一個所）が繰り返し荷重を受けて疲労剥離を起こすことを防止できるので、カムフォロア装置の寿命をより長くすることができる。
【００３４】
●［第４の実施の形態のカムフォロア装置５０Ｆの構造・効果（図７）］
次に、図７を用いて、第４の実施の形態のカムフォロア装置５０Ｆを説明する。カムフォロア装置５０Ｆは、第１の実施の形態のカムフォロア装置５０Ａに対して、支持軸２２Ｆがロッカーアーム３０Ｆから抜けることを防止する支持軸２２Ｆにおける、他方端の側の抜け防止構造が、支持軸２２Ｆの全周に設けられた溝部ＴＦと、溝部ＴＦに対応する挿通孔３２Ｆ２である点で相違する。以下、この相違点について主に説明する。
【００３５】
第４の実施の形態のカムフォロア装置５０Ｆにおいて、図７の断面図で示すように、支持軸２２Ｆにおける一方端の側に設けられた抜け防止構造は、第１の実施の形態と同じ鍔部２６であるので、当該鍔部２６の説明については省略する。また、支持軸２２Ｆにおける他方端の側の抜け防止構造は、支持軸２２Ｆに設けられた鍔部２６Ｆが対向側壁３８Ｆ２に設けられた挿通孔３２Ｆ２にスナップインして、溝部ＴＥと挿通孔３２Ｆ２が嵌め合う構造である。
【００３６】
図７に示すように、支持軸２２Ｆの他方端における外周面２１Ｆには、溝部ＴＦが周方向に連続するように設けられている。溝部ＴＦの径Ｄｆ４は、挿通孔３２Ｆ２の径Ｄｆ２より小さい。対向側壁３８Ｆ１における挿通孔３２Ｆ１の径は、鍔部２６Ｆの外径である径Ｄｆ３より大きく、かつ、支持軸２２Ｆの外径である径Ｄｆ１より大きい。鍔部２６Ｆの外形の径Ｄｆ３は、支持軸２２Ｆが挿通孔３２Ｆ２から抜けない程度で、挿通孔３２Ｆ２の径Ｄｆ２より大きい。
【００３７】
図７に示すように、溝部ＴＦに対応するため、鍔部２６Ｆにおける側面の形状は、全周に渡って径方向において凸の曲面が形成されていても良い。また、挿通孔３２Ｆ２が設けられているロッカーアーム３０Ｆの内側の側壁は、全周に径方向において凸の曲面で形成しても良い。また、ロッカーアーム３０Ｆは、支持軸２２Ｆより柔らかい金属で形成されている。これにより、鍔部２６Ｆは、対向側壁３８Ｆ２の挿通孔３２Ｆ２に容易に挿通されて、スナップインされる。
【００３８】
対向側壁３８Ｆ１の外輪２０に対向しない側の壁面と、この壁面に対向する鍔部２６の外縁部における面との間には隙間Ｌｆ１が設けられている。また、対向側壁３８Ｆ２の外輪２０に対向しない側の壁面と、この壁面に対向する鍔部２６Ｆにおける外縁部の面との間には隙間Ｌｆ２が設けられている。これにより、支持軸２２Ｆは、ロッカーアーム３０Ｆに対して、支持軸２２Ｆの軸線回りに回転自在な状態となる。従って、第１の実施の形態と同様、支持軸２２Ｆの特定の個所（同一個所）が繰り返し荷重を受けて疲労剥離を起こすことを防止できるので、カムフォロア装置の寿命をより長くすることができる。
【００３９】
●［第５の実施の形態のカムフォロア装置５０Ｄの構造・効果（図８）］
次に、図８を用いて、第５の実施の形態のカムフォロア装置５０Ｄを説明する。カムフォロア装置５０Ｄは、第２の実施の形態のカムフォロア装置５０Ｂに対して、支持軸２２Ｄにおける一方端の側の抜け防止構造が、鍔部２６でなく、支持軸２２Ｄの全周に設けられた溝部ＴＤ１と、溝部ＴＤ１に対応する挿通孔３２Ｄ１である点で相違する。以下、この相違点について主に説明する。なお、支持軸２２Ｄの他方端の側の抜け防止構造は、第２の実施の形態と同様であるので、説明を省略する。また、支持軸２２Ｄにおける一方端の側は、支持軸２２Ｄに設けられた鍔部２６Ｄ１が対向側壁３８Ｄ１に設けられた挿通孔３２Ｄ１にスナップインして、溝部ＴＤ１と挿通孔３２Ｄ１が嵌め合う構造である。
【００４０】
第５の実施の形態のカムフォロア装置５０Ｄにおいて、図８の断面図で示すように、支持軸２２Ｄの一方端における外周面２１Ｄには、溝部ＴＤ１が周方向に連続するように設けられている。溝部ＴＤ１の径Ｄｄ４１は、挿通孔３２Ｄ１の径Ｄｄ２１より小さい。
【００４１】
対向側壁３８Ｄ２における挿通孔３２Ｄ２の径Ｄｂ２２は、鍔部２６Ｄ１の外径である径Ｄｄ３１より大きい。鍔部２６Ｄ１の外形の径Ｄｄ３１は、支持軸２２Ｄが挿通孔３２Ｄ１から抜けない程度で、挿通孔３２Ｄ１の径Ｄｄ２１より大きい。
【００４２】
図８に示すように、溝部ＴＤ１に対応するため、鍔部２６Ｄ１における側面は、全周に径方向に凸の曲面が形成されていても良い。また、挿通孔３２Ｄ１が設けられているロッカーアーム３０Ｄの内側の側壁は、全周に径方向に凸の曲面で形成されていても良い。また、ロッカーアーム３０Ｄは、支持軸２２Ｄより柔らかい金属で形成されている。これにより、鍔部２６Ｄ１は、対向側壁３８Ｄ１の挿通孔３２Ｄ１に容易に挿通されて、スナップインされる。さらに、支持軸２２Ｄは、軸線方向に対称な形状であっても良い。つまり、鍔部２６Ｄ１と鍔部２６Ｄ２が同じで、溝ＴＤ１と固定溝部ＴＤ２が同じでも良い。
【００４３】
対向側壁３８Ｄ１の外輪２０に対向しない側の壁面と、この壁面に対向する鍔部２６Ｄ１の外縁部における面との間には隙間Ｌｄ１が設けられている。また、対向側壁３８Ｄ２の外輪２０に対向しない側の壁面と、この壁面に対向するリングＲにおける外縁部の面との間には隙間Ｌｄ２が設けられている。これにより、支持軸２２Ｄは、ロッカーアーム３０Ｄに対して、支持軸２２Ｄの軸線回りに回転自在な状態となる。従って、第２の実施の形態と同様、支持軸２２Ｄの特定の個所（同一個所）が繰り返し荷重を受けて疲労剥離を起こすことを防止できるので、カムフォロア装置の寿命をより長くすることができる。
【００４４】
●［第６の実施の形態のカムフォロア装置５０Ｅの構造・効果（図９、図１０）］
次に、図９と図１０を用いて、第６の実施の形態のカムフォロア装置５０Ｅを説明する。第６の実施のカムフォロア装置は、支持軸２２Ｅの一方端の側、及び他方端の側の抜け防止構造が、図９及び図１０に示す構造である点で、第１〜第５の実施の形態とは相違する。図９は、第６の実施の形態におけるカムフォロア装置５０Ｅの概略全体構成を説明する分解斜視図である。図１０は、第６の実施の形態におけるカムフォロア装置５０Ｅの構造を説明する断面図である。カムフォロア装置５０Ｅは、カムフォロア装置５０Ａに対して、ロッカーアーム３０Ｅにおける挿通孔３２Ｅと、支持軸２２Ｅにおける両端の側の外周面のそれぞれに、周方向に連続するように溝部ＴＥが設けられている点、で相違する。以下、この相違する点について主に説明する。
【００４５】
第６の実施の形態のカムフォロア装置５０Ｅにおいて、図１０の断面図で示すように、支持軸２２Ｅにおける両端の外周には周方向に連続するように溝部ＴＥを有している。また、一対の対向側壁３８Ｅにおけるそれぞれの挿通孔３２Ｅにおけるカム１０側の一部は開放された開放部３３を有している（図９参照）。溝部ＴＥの外径である径Ｄｅ４は、支持軸２２Ｅが挿通孔３２Ｅから抜けない程度で開放部３３の幅Ｗ（図９参照）より大きく、かつ、挿通孔３２Ｅの径である径Ｄｅ２より小さい。また、ロッカーアーム３０Ｅは、支持軸２２Ｅより柔らかい金属で形成されている。これにより、鍔部２６Ｅ１と２６Ｅ２は、一対の対向側壁３８Ｅにおけるそれぞれの挿通孔３２Ｅに容易に挿通されて、スナップインされる。
【００４６】
一対の対向する対向側壁３８Ｅにおける一方の対向側壁の外輪２０に対向しない側の壁面と、この壁面に対向する鍔部２６Ｅ１の外縁部における面との間には隙間Ｌｅ１が設けられている。また、他方の対向側壁３８Ｅの外輪２０に対向しない側の壁面と、この壁面に対向する鍔部２６Ｅ２の外縁部における面との間には隙間Ｌｅ２が設けられている。これにより、支持軸２２Ｅは、ロッカーアーム３０Ｅに対して、支持軸２２Ｅの軸線回りに回転自在な状態となる。従って、第１の実施の形態と同様、支持軸２２Ｅの特定の個所（同一個所）が繰り返し荷重を受けて疲労剥離を起こすことを防止できるので、カムフォロア装置の寿命をより長くすることができる。
●［本願の効果］
【００４７】
以上に説明したように、カムから外輪を押し下げる力を受ける支持軸における領域（負荷圏）は、ロッカーアーム（軸受保持部材）に対して支持軸が回転するため、負荷圏はカムの回転に対して一定の範囲に制限されることがなく一箇所になることはない。これにより、支持軸の外周面上における同じ領域が負荷圏としてカムからの荷重を受けることははく、支持軸のころがり疲労に対する寿命が延びる。また、リングや締結部材を片方に用いた構造の場合は、支持軸の両端部をかしめることが必要ないため、支持軸の外周面のみを高周波焼入れするのではなく普通焼入れで良いため、製造管理・コスト面での利点がある。また、ころがり疲労寿命の向上は、ころの転がり面である支持軸の外周面の硬さを管理する幅を緩和することができる。
【００４８】
本発明の、カムフォロア装置は、本実施の形態で説明した構成、構造等に限定されず、本発明の要旨を変更しない範囲で種々の変更、追加、削除が可能である。特に、カムフォロア装置を構成する、ロッカーアーム（軸受保持部材）の形状は本実施の形態に示した形状に限定されず、適切にバルブの開閉する形状であればよい。
【符号の説明】
【００４９】
１０      カム
１０Ａ    外周面
１０Ｂ    ベース円周部
１０Ｃ    偏心部
１１      ラッシュアジャスタ
１２      カムシャフト
１４      スプリング
１７      バルブステムエンド
１８      バルブ
２０      外輪
２１、２１Ｄ、２１Ｆ      外周面
２２、２２Ａ、２２Ｂ      支持軸
２２Ｃ、２２Ｄ、２２Ｅ    支持軸
２２Ｆ    支持軸
２４      ころ
２６、２６Ｄ１、２６Ｄ２      鍔部
２６Ｅ１、２６Ｅ２、２６Ｆ      鍔部
３０、３０Ｄ、３０Ｅ、３０Ｆ    ロッカーアーム（軸受保持部材）
３２、３２Ｄ１、３２Ｄ２    挿通孔
３２Ｅ、３２Ｆ１、３２Ｆ２      挿通孔
３３      開放部
３４      ラッシュアジャスタ受け部
３６      バルブステムエンド受け部
３８      対向側壁
３８Ｄ１、３８Ｄ２、３８Ｅ    対向側壁
３８Ｆ１、３８Ｆ２    対向側壁
３９      雄ネジ部
５０、５０Ａ、５０Ｂ      カムフォロア装置
５０Ｃ、５０Ｄ、５０Ｅ    カムフォロア装置
５０Ｆ      カムフォロア装置
９０      シリンダヘッド
１１０      カム
１１０Ｃ    偏心部
１２０      外輪
１２１      外周面
１２２      支持軸
１３０      ロッカーアーム（軸受保持部材）
１３２      挿通孔
１３２      挿入孔
１３８      対向側壁
１５０      カムフォロア装置
Ａ、Ａ'、Ｚ      領域（負荷圏）
Ｄａ１、Ｄａ２、Ｄａ３      径
Ｄｂ１、Ｄｂ２、Ｄｂ３２、Ｄｂ４、Ｄｂ５  径
Ｄｃ１、Ｄｃ２      径
Ｄｄ１、Ｄｄ２１、Ｄｄ３１、Ｄｄ４１  径
Ｄｆ１、Ｄｆ２、Ｄｆ３、Ｄｆ４      径
Ｄｅ２、Ｄｅ３、Ｄｅ４      径
Ｄｃ３      寸法
Ｋ、Ｋａ    かしめ部
Ｌａ１、Ｌａ２      隙間
Ｌｂ１、Ｌｂ２      隙間
Ｌｃ１、Ｌｃ２      隙間
Ｌｄ１、Ｌｄ２      隙間
Ｌｅ１、Ｌｅ２      隙間
Ｌｆ１、Ｌｆ２      隙間
Ｎ      締結部材
Ｒ      リング
ＴＤ１、ＴＥ、ＴＦ      溝部
ＴＢ、ＴＤ２    固定溝部
Ｗ      幅
Ｆ      押し下げ力
【図１】
2019015261.tif 000003
【図２】
2019015261.tif 000004
【図３】
2019015261.tif 000005
【図４】
2019015261.tif 000006
【図５】
2019015261.tif 000007
【図６】
2019015261.tif 000008
【図７】
2019015261.tif 000009
【図８】
2019015261.tif 000010
【図９】
2019015261.tif 000011
【図１０】
2019015261.tif 000012
【図１１】
2019015261.tif 000013
【図１２】
2019015261.tif 000014
【図１３】
2019015261.tif 000015